(57)【特許請求の範囲】
【請求項１】
縦地、横地にて構成される構成単位を上下方向並びに水平方向に所要単位を接続してなる仮設物に取り付けられ、手摺本体にスライドガイド及びロック装置を取り付けてなり、スライドガイドには前記仮設物の縦地間の所定位置に係合可能なスライドブロックが移動可能に装着されると共に、ロック装置は前記縦地に係合可能にされていることを特徴とする手摺。
【請求項２】
前記仮設物が足場である請求項１に記載の手摺。
【請求項３】
前記仮設物が支保工である請求項１に記載の手摺。
【発明の詳細な説明】
【０００１】
【産業上の利用分野】
本発明は、土木、建築等の工事現場において、建築物の外壁に沿って設置する作業足場や支保工等の仮設物に取り付けられる手摺に関するものである。
【０００２】
【従来の技術】
土木、建築等の工事現場において、建築物の外壁に沿って設置する作業足場として鋼管を素材とする鋼管枠組足場が用いられる。
このような足場は、下段の足場ができた時点でその上段の枠組足場を組み立て、解体のときも同様に上段から順次解体していくのであるが、組み立て、あるいは解体の作業は最上段の頂部にある足場板の上に立って行うことになり、周囲に安全のための柱や手摺がなく、転落等の危険が大きいという問題があった。
【０００３】
そこで、こうした危険を解消する枠組足場として、例えば実公平１−１８７５３号公報に示されるＨ形枠組足場が提案された。このＨ形枠組足場では上段の枠組足場の組み立てに先だって手摺が設置されることから「手摺先行形」とも称されて需要が増加しつつある。
しかしこの種の枠組足場は、解体して繰り返し使用する仮設材であり、Ｈ形枠組足場の需要が増大しているといってもただちに旧来の枠組足場が不要となるわけではなく、これまでに生産された膨大な量の旧来の枠組足場が耐用寿命となるまでは当分使用される情勢にある。
そこで、Ｈ形枠組足場と同様の「手摺先行形」の機能を旧来の足場に付与して安全性を向上させることを目的とした発明が特開平７−５４４８０号に開示された。この特開平７−５４４８０号に開示された発明は２本の鋼管製脚柱の上端を水平に結ぶ横梁により連結してなる建枠を向かい合って立設し、相対する建枠の横梁間に足場板をかけ渡して構成される構成単位を上下方向ならびに水平方向に所要単位を接続してなる枠組み足場において、前記建枠を上下方向に接続する鋼管製脚柱の接続用ジョイントに手摺枠を取り付ける接合部分を設け、手摺枠を建枠の頂部に取り付け可能としたものである。
【０００４】
【発明が解決しようとする課題】
しかし以上の特開平７−５４４８０号に開示された枠組足場についてもさらに次のような問題がある。
すなわち特開平７−５４４８０号に開示された枠組足場では鋼管製脚柱の接続用ジョイントに接合部分を設け、この接合部分によって手摺枠を建枠の頂部に取り付け可能とされるが、接合部分は各接続用ジョイントに取り付ける必要があり、手摺枠の移動に伴って着脱できるものではなく、したがって接合部分は各接続用ジョイントの数量に対応する数量を準備する必要がある。
しかも、手摺枠のフック６１を接続用ジョイントの接合部分に装着する作業は常に下段の足場から行わなければならず、かかる作業は極めて困難である。
したがって以上の点からして特開平７−５４４８０号に開示された枠組足場は現実的には実用性に疑問があるという問題があった。
本発明は以上の従来技術における問題に鑑みてなされたものであって、足場等の仮設物に簡易に適用でき、簡易且つ安全な作業で着脱することができる実用性の高い手摺を提供することを目的とする。
【０００５】
【課題を解決するための手段】
すなわち本発明の手摺は、縦地、横地、筋交にて構成される構成単位を上下方向並びに水平方向に所要単位を接続してなる仮設物に取り付けられ、手摺本体にスライドガイド及びロック装置を取り付けてなり、スライドガイドには前記仮設物の縦地間の所定位置に係合可能なスライドブロックが移動可能に装着されると共に、ロック装置は前記縦地に係合可能にされていることを特徴とする。
前記ロック装置を一以上設けることにより、一のロック装置によるロック状態が解けても、他のロック装置によるロックにより手摺を仮設物に保持することができる。
前記仮設物としては例えば足場がある。
また前記仮設物としては支保工がある。
前記ロック装置にはロック解除レバーを取り付け、このロック解除レバーによりロックを解除するようにすることができる。
前記スライドブロックをステイの先端に固着し、かかるステイによって、スライドブロックを操作するようにすることができる。
前記スライドブロックは転動手段を備え、その転動手段を介してスライドガイド内を移動自在にされる様にすることができる。この転動手段としては例えばベアリングがある。
【０００６】
【作用】
したがって本発明の手摺によれば、手摺本体にスライドガイド及びロック装置を取り付けてあり、スライドガイドには前記仮設物の縦地間の所定位置に係合可能なスライドブロックが移動可能に装着されると共に、ロック装置は前記建枠に係合可能にされているので、手摺本体を、一定の位置（建枠の横架材部）で自動ロックできる。すなわち上昇時には、手摺本体はスライドガイド（建枠の脚柱）上の障害物（筋交ピン、補剛材、横架材）を「重力を利用」した機構にて自動的にロックと解除を繰り返しながら上昇し、下降時には、「ロック解除」レバ−を引き上げながら手摺を降ろすことができる。特に手摺本体にスライドガイドを設けてあることにより、スライドガイド中を安全装置（スライドブロック）が上下にスライドし、上昇時、安全装置を仮設物の縦地間の所定位置例えば筋交・交差部に固定して手摺を「スライドガイド」に沿って上昇させるので、万一手摺が外れても、この筋交・交差部以下には落下しない。
【０００７】
【実施例】
以下に本発明の一実施例の手摺につき説明する。
図１は本発明の一実施例の手摺を示す斜視図であり、図２は本実施例の手摺を装着した状態の足場の平面図である。
各図に示すように、本実施例の手摺は、手摺本体１００にスライドガイド１０１及びロック装置１０２を取り付けてなる。スライドガイド１０１にはスライドブロック１０３が移動可能に装着され、一方ロック装置１０２にはロック解除レバー１０４が取り付けられる。
図３及び図４はロック装置１０２の詳細を示し、図に示されるようにロック装置１０２は手摺本体１００に固定された固定金具１０５とこの固定金具１０５にピン１０６を介して回動可能に取り付けられた開閉金具１０７とよりなり、この開閉金具１０７に対してロック解除レバー１０８が取り付けられる。また前記固定金具１０５には開閉金具１０７の開閉角度を規制するためのストッパー１０７ａが設けられている。
【０００８】
図５〜図７はスライドガイド１０１及びスライドブロック１０３の詳細を示し、スライドガイド１０１には上端に切欠１０１ａが設けられる。一方、スライドブロック１０３はステイ１０９に取り付けられる。スライドブロック１０３はステイ１０９の先端に固着される基端部１１０とこの基端部１１０にピン１１１を介して回動可能に取り付けられるブロック本体とよりなり、ブロック本体はピン１１１に直接取り付けられる支持桿１１３と、この支持桿１１３の先端に固定される板体１１４と、この板体１１４に装備される係止ピン１１５とよりなる。
前記基端部１１０は前記ステイ１０９の先端にブロック１１６を介してピン１１７により固定される。またステイ１０９の先端部のブロック１１６下方には係合ピン１１８が取り付けられる。前記ブロック１１６には図６(b)及び図６(c)に示されるように、その両側にベアリング１１６ａが取り付けられ、このベアリング１１６ａによってブロック１１６はスライドガイド１０１内をスムースに移動する。
【０００９】
次ぎに以上の本実施例の手摺の実際の用い方について図８〜図１０を参照して説明する。
先ず図８に示される様に、本実施例の手摺が配置された状態で建枠横架材部にロック装置１０２がロックされ、安全装置のスライドブロック１０３に筋交３を図５に示される態様で取り付ける。次ぎに上層の足場を組み立てるために図９に示されるように、スライドブロック１０３を筋交から外しステイ１０９を把持して、スライドガイド１０１に沿ってスライドブロック１０３を上昇させ、スライドブロック１０３をスライドガイド１０１の最頂部位置に配置する。その際、図５に示される様に、スライドブロック１０３の上昇中、「鋼製足場板」等に引っかからないようにブロック１０３は折り畳まれる。またスライドガイド１０１の最頂部位置では、図７に示されるようにスライドガイド１０１上端の切欠１０１ａにスライドブロック１０３の係合ピン１１８を係合させ、ステイ１０９を９０゜回転させ、スライドブロック１０３をスライドガイド１０１に対して定位置に保持する。
【００１０】
その状態で、現状の足場の上に上段の足場を築き、その上段の足場に筋交３を配設する。筋交３の配設にあたってはスライドガイド１０１上端の切欠１０１ａに対するスライドブロック１０３の係合ピン１１８の係合状態を解除し、その係合状態を解除したスライドブロック１０３を筋交３の交差部に対して係合させる。その係合にあたっては、図５に示されるように、支持桿１１３の先端に固定された板体１１４の内側に筋交３を入れ、その状態で筋交３の下部を係止ピン１１５により支持する。
次ぎに図１０に示されるように手摺本体１００を上昇させ、所定位置に手摺本体１００を配置する。その過程では図３及び図４に示される様に、ロック装置１０２の開閉金具１０７が重力により開閉して建枠脚柱１１についている筋交ピン、補剛材及び横架材１１９等の障害物を避ける結果、上方に手摺本体１００がスライドして上昇する。その際、開閉金具１０７の動きは、ストッパー１０５ａによって最大開度４５゜に制限される。
【００１１】
以上の結果手摺本体１００を所定位置に配置した状態では、手摺本体１００が一定の位置すなわち、建枠１の横架材１１９部で自動ロックされる。すなわち開閉金具１０７が建枠１の横架材１１９に係合することによって、手摺本体１００は一定位置に保持される。
また以上の手摺本体１００を上昇させる過程では、スライドブロック１０３は筋交３に係止固定された状態でスライドガイド１０１内を摺動して、相対的にスライドガイド１０１内を下降する。
なお、手摺本体１００を下降させる時は、ロック解除レバー１０８を上方に持ち上げることにより開閉金具１０７を開いて手摺本体１００を下方にスライドさせることができる。
【００１２】
従って以上のように本実施例の手摺によれば、上昇時は、建枠１の脚柱１１上の障害物、例えば筋交ピン、補剛材、横架材１１９を、「重力を利用」した機構にて、自動的にロックと解除を繰り返しながら上昇し、下降時には、ロック解除レバー１０８を引き上げながら手摺本体１００を降ろすことができる。
しかも手摺本体１００にスライドガイド１０１を設けてあり、この中を、安全装置であるスライドブロック１０３が上下にスライドする。上昇時、スライドブロック１０３を筋交３の交差部に固定して手摺をスライドガイド１０１に沿って上昇させるので、万一ロック装置１０２の固定金具１０５と開閉金具１０７の建枠脚柱１１に対する係合が外れても、スライドブロック３が筋交３の交差部に係合された状態であるので、手摺が足場から離脱して、地上に落下することはない。
なお以上の実施例においてはロック装置１０２は上下２段設けられるので、上方のロック装置１０２の横架材１１９及び脚柱１１に対する係合が万一解けても下方のロック装置１０２が脚柱１１に係合しているので、手摺が足場から離脱することはない。
なお以上には本発明の手摺を枠組足場の足場先行手摺に適用した実施例を説明したが、本発明の手摺は他にも例えば単管足場の先行手摺としても適用することもできる。
また本発明の手摺は足場のみならず他にも例えば支保工構築の際の先行手摺としても適用することができる。
【００１３】
【発明の効果】
以上のように本発明の手摺は、手摺本体にスライドガイド及びロック装置を取り付けてなり、スライドガイドには仮設物の縦地間の所定位置に係合可能なスライドブロックが移動可能に装着されると共に、ロック装置は建枠に係合可能にされているので、常に足場等の仮設物の組立・解体作業時に「手摺」があることから安全に作業ができる。
また「手摺」の上昇、下降を足場の作業床上で、簡単に、かつ安全に行うことができる。
さらに「手摺」の盛替時、落下等の事故を防ぐことができる。
【図面の簡単な説明】
【図１】  本発明の一実施例の手摺の斜視図である。
【図２】  本発明の一実施例の手摺の平面図である。
【図３】  本発明の一実施例の手摺の部分側面図である。
【図４】  本発明の一実施例の手摺の部分平面図である。
【図５】  本発明の一実施例の手摺の部分斜視図である。
【図６】  本発明の一実施例の手摺の部分斜視図である。
【図７】  本発明の一実施例の手摺の部分斜視図である。
【図８】  本発明の一実施例の手摺の正面図である。
【図９】  同じく本発明の一実施例の手摺の正面図である。
【図１０】  同じく本発明の一実施例の手摺の正面図である。
１００・・・手摺本体、１０１・・・スライドガイド、１０２・・・ロック装置、１０３・・・スライドブロック、１０４・・・ロック解除レバー、１０５・・・固定金具、１０６・・・ピン、１０７・・・開閉金具、１０８・・・ロック解除レバー、１０９・・・ステイ。
【図１】
0003648288.tif 000002
【図２】
0003648288.tif 000003
【図３】
0003648288.tif 000004
【図４】
0003648288.tif 000005
【図５】
0003648288.tif 000006
【図６】
0003648288.tif 000007
【図７】
0003648288.tif 000008
【図８】
0003648288.tif 000009
【図９】
0003648288.tif 000010
【図１０】
0003648288.tif 000011